(57)【要約】【課題】外部温度に拘わらず、温度上昇率に対して一定の感度が確保できる熱感知器を提供する。【解決手段】感知器本体２の外に設けた外部感熱抵抗素子ＴＨ１と、内に設けた内部感熱抵抗素子ＴＨ２とを直列に接続して構成され、内外の感熱抵抗素子ＴＨ１、２による内外温度差を与える電圧Ｖｉｎと、外部感熱抵抗素子ＴＨ１による外部温度を与える電圧Ｖｉｎとを交互に測定するように切り替える切替回路３と、切替回路３によって切替られた電圧を測定する電圧計測回路４と、相互に異なる基準電圧Ｖｒｅｆ１、２、３と該電圧Ｖｉｎとを比較判定して警報信号を発生する複数の比較回路５（１、２、３）と、この複数の比較回路５（１、２、３）から電圧計測回路４によって測定された外部温度に対応して選択した比較回路５に該電圧Ｖｉｎを比較判定させるように制御する制御回路６とを備えた。【選択図】図１
2004062300.tif 000002
【特許請求の範囲】
【請求項１】
感知器本体の外に設けた外部感熱抵抗素子と、該感知器本体の内に設けた内部感熱抵抗素子とを直列に接続して構成された熱感知器であって、
前記外部感熱抵抗素子と前記内部感熱抵抗素子とによる内外温度差を与える電圧と、前記外部感熱抵抗素子による外部温度を与える電圧とを交互に測定するように切り替える切替回路と、前記切替回路によって切替られた電圧を測定する電圧計測回路と、相互に異なる基準電圧を与える基準抵抗を備え該電圧と該基準電圧とを比較判定して警報信号を発生する複数の比較回路と、前記複数の比較回路から前記電圧計測回路によって測定された外部温度に対応して選択した比較回路に該電圧を比較判定させるように制御する制御回路とを備えたことを特徴とする熱感知器。
【請求項２】
請求項１に記載の熱感知器において、
更に、前記複数の比較回路の基準抵抗を異なる複数の抵抗から切替選択するレベル切替スイッチを設けたことを特徴とする熱感知器。
【請求項３】
請求項２に記載の熱感知器において、
それぞれの比較回路において基準抵抗として切替選択される抵抗の一方を共通化したことを特徴とする熱感知器。
【請求項４】
請求項１から３のいずれかに記載の熱感知器において、
前記複数の比較回路の比較部を共通化したことを特徴とする熱感知器。
【請求項５】
請求項１から４のいずれかに記載の熱感知器において、
更に、前記切替回路を制御して、前記外部感熱抵抗素子と前記内部感熱抵抗素子とによる内外温度差を与える電圧と、前記外部感熱抵抗素子による外部温度を与える電圧とを交互に測定させる差動モードと、前記外部感熱抵抗素子による外部温度を与える電圧だけを常に測定させる定温モードとに切り替えるモード切替スイッチを設けたことを特徴とする熱感知器。
【請求項６】
請求項１から５のいずれかに記載の熱感知器において、
前記外部感熱抵抗素子、前記内部感熱抵抗素子として、同一の負の抵抗温度特性を示すサーミスタを用いたことを特徴とする熱感知器。
【請求項７】
請求項１から６のいずれかに記載の熱感知器において、
前記制御回路は、前記複数の比較回路から前記内外温度差を与える電圧を比較判定させる比較回路を選択する際に、前記電圧計測回路によって測定された外部温度ではなく、該外部温度と前記電圧計測回路によって測定された内外温度差とから算定される内部温度を用いることを特徴とする熱感知器。
【発明の詳細な説明】
【０００１】
【発明の属する技術分野】
本発明は、天井面などに取り付けて用いられ、感知器本体の外に設けられ外部温度を測定する外部感熱抵抗素子と、感知器本体の内に設けられ感知器の内部温度を測定する感熱抵抗素子とを直列に接続して構成された熱感知器に関する。
【０００２】
【従来の技術】
図５（ａ）は従来の熱感知器の回路図、（ｂ）は感熱抵抗素子の負の抵抗温度特性を示すグラフ、（ｃ）従来の熱感知器における内外温度差電圧と外部温度との関係を示すグラフである。
【０００３】
この図５（ａ）に示す従来の熱感知器１１０は、感知器本体の外部に設置された外部感熱抵抗素子ＴＨ１と、感知器本体の内部に設置された内部感熱抵抗素子ＴＨ２とを直列に接続した温度検知抵抗列と、この温度検知抵抗列からの内外温度差を示す電圧と、基準電圧とを比較判断して、警報信号を発生する判断回路１０８と、この判断回路に定電圧ＶＤＤを供給する電源回路１０９から構成されている。
【０００４】
判断回路１０８は、基準抵抗Ｒ３、Ｒ４を直列に接続した基準抵抗列を内蔵し、この基準抵抗列と上記温度検知抵抗列とを並列接続して、電源回路１０９からの定電圧ＶＤＤをこの並列接続した抵抗列に供給し、外部感熱抵抗素子ＴＨ１、内部感熱抵抗素子ＴＨ２の接続点の電圧Ｖｉｎと、基準抵抗Ｒ３、Ｒ４の接続点の基準電圧Ｖｒｅｆとを比較部ＣＰが比較して、電圧Ｖｉｎが基準電圧Ｖｒｅｆより大きくなった場合に、警報信号を発生する構成となっている。
【０００５】
電源回路１０９は、ポートＬ、Ｃを介して警報受信機（不図示）より電源（例えば、２４Ｖの電源）の供給を受けており、この電源を、トランジスタＴＲ１、抵抗Ｒ１、ツェーナダイオードＺＤ１で構成される定電圧回路で所定の電圧（例えば５Ｖ）に変換し、この定電圧ＶＤＤを判断回路１０８に供給している。
【０００６】
また、この電源回路１０９には、サイリスタＳＣＲ、抵抗Ｒ２、コンデンサＣで構成されるスイッチング回路を備えており、スイッチング回路に、判断回路１０８の比較部ＣＰから、Ｈレベルの警報信号が出力されると、ダイオードブリッジＤＢにより、ポートＬ、Ｃ間が短絡され、この短絡を警報受信機が警報信号と判断するようになっている。
【０００７】
このような構成の熱感知器１１０では、電圧Ｖｉｎは、この熱感知器１１０の設置場所の内外温度差に対応しており、この内外温度差に対応した電圧Ｖｉｎを基準電圧Ｖｒｅｆと比較することによって、内外温度差が基準電圧Ｖｒｅｆに対応した一定温度を超えた場合に、警報信号を発生させるが、その原理は、外部の温度上昇率が高くなればなるほど、つまり、外部の温度が急速に上昇すればするほど、内外温度差が大きくなるという事実に基づいている。
【０００８】
つまり、この熱感知器１１０は、内外の温度差を比較判断することで、環境の温度上昇率を感知する差動型の熱感知器として機能するものであり、この基準電圧Ｖｒｅｆなどを適当に選択することで、火災警報器や、種々の温度上昇警報器として用いることができるものである。
【０００９】
しかしながら、図５（ｂ）に示すように、負型の感熱抵抗素子の抵抗温度特性は、温度が高くなるにつれて、抵抗変化率が低下する傾向があり、この傾向を、内外温度差電圧Ｖｉｎと外部温度Ｔ１との関係で示したのが図５（ｃ）である。
【００１０】
この図５（ｃ）は、負型の感熱抵抗素子として、ＮＴＣサーミスタを用いた場合に、外部サーミスタ温度Ｔ１と内部サーミスタ温度Ｔ２の差を常に一定になるように感熱器の内外の温度を変化させた場合に、内部サーミスタ温度Ｔ２と、この内外温度差に対応した電圧Ｖｉｎとの関係を示すグラフである。
【００１１】
このグラフから解るように、一定である内外温度差に対して、内部サーミスタ温度Ｔ２が高くなるにつれて、電圧Ｖｉｎが小さくなっている。例えば、内外温度が３０度で同一の状態から、外部温度だけが急速上昇して内外温度差が２０度になった場合に発生する電圧Ｖｉｎ（３０）と、内外温度が４０度の状態から内外温度差が２０度になった場合に発生する電圧Ｖｉｎ（４０）を比べると、電圧Ｖｉｎ（３０）＞電圧Ｖｉｎ（４０）となる。つまり、外部の温度上昇率に対する電圧Ｖｉｎの感度が鈍くなっている。
【００１２】
このような内外温度差に対応した電圧Ｖｉｎを同じ基準電圧Ｖｒｅｆと比較して警報信号の発生を比較判断すると、高温になればなるほど、より高い温度温度上昇率でないと発報しないこととなり、具合が悪い。
【００１３】
【発明が解決しようとする課題】
本発明は、以上の問題を解決するためになされたものであって、外部温度に拘わらず、温度上昇率に対して一定の感度が確保できる熱感知器を提供することを目的としている。
【００１４】
【課題を解決するための手段】
請求項１に記載の熱感知器は、感知器本体の外に設けた外部感熱抵抗素子と、該感知器本体の内に設けた内部感熱抵抗素子とを直列に接続して構成された熱感知器であって、
前記外部感熱抵抗素子と前記内部感熱抵抗素子とによる内外温度差を与える電圧と、前記外部感熱抵抗素子による外部温度を与える電圧とを交互に測定するように切り替える切替回路と、前記切替回路によって切替られた電圧を測定する電圧計測回路と、相互に異なる基準電圧を与える基準抵抗を備え該電圧と該基準電圧とを比較判定して警報信号を発生する複数の比較回路と、前記複数の比較回路から前記電圧計測回路によって測定された外部温度に対応して選択した比較回路に該電圧を比較判定させるように制御する制御回路とを備えたことを特徴とする。
【００１５】
請求項２に記載の熱感知器は、請求項１に記載の熱感知器において、更に、前記複数の比較回路の基準抵抗を異なる複数の抵抗から切替選択するレベル切替スイッチを設けたことを特徴とする。
【００１６】
請求項３に記載の熱感知器は、請求項２に記載の熱感知器において、それぞれの比較回路において基準抵抗として切替選択される抵抗の一方を共通化したことを特徴とする。
【００１７】
請求項４に記載の熱感知器は、請求項１から３のいずれかに記載の熱感知器において、前記複数の比較回路の比較部を共通化したことを特徴とする。
【００１８】
請求項５に記載の熱感知器は、請求項１から４のいずれかに記載の熱感知器において、更に、前記切替回路を制御して、前記外部感熱抵抗素子と前記内部感熱抵抗素子とによる内外温度差を与える電圧と、前記外部感熱抵抗素子による外部温度を与える電圧とを交互に測定させる差動モードと、前記外部感熱抵抗素子による外部温度を与える電圧だけを常に測定させる定温モードとに切り替えるモード切替スイッチを設けたことを特徴とする。
【００１９】
請求項６に記載の熱感知器は、請求項１から５のいずれかに記載の熱感知器において、前記外部感熱抵抗素子、前記内部感熱抵抗素子として、同一の負の抵抗温度特性を示すサーミスタを用いたことを特徴とする。
【００２０】
請求項７に記載の熱感知器は、請求項１から６のいずれかに記載の熱感知器において、前記制御回路は、前記複数の比較回路から前記内外温度差を与える電圧を比較判定させる比較回路を選択する際に、前記電圧計測回路によって測定された外部温度ではなく、該外部温度と前記測定回路によって測定された内外温度差とから算定される内部温度を用いることを特徴とする。
【００２１】
【発明の実施の形態】
以下、本発明に係る熱感知器について、添付図面を参照しながら説明する。
【００２２】
図１（ａ）は本発明に係る熱感知器の一例の回路図、（ｂ）は（ａ）の概念的な縦断面図、図２は、本発明に係る熱感知器における内外温度差電圧と外部温度との関係を示すグラフ、図３は、本発明に係る熱感知器における２種類の切替スイッチとそれによって得られる熱感知器の種別との関係の表を示す図である。
【００２３】
この熱感知器１０は、感知器本体１と、この感知器本体１に設けられた通気カバー２、感知器本体１の外部に設置された外部感熱抵抗素子ＴＨ１と、感知器本体１の内部に設置された内部感熱抵抗素子ＴＨ２とを直列に接続した温度検知抵抗列と、この温度検知抵抗列からの内外温度差を示す電圧と、基準電圧とを比較判断して、警報信号を発生する判断回路８と、この判断回路に定電圧ＶＤＤを供給する電源回路９から構成され、感知器本体１の通気カバー２の反対側を天井ＰＬなどに取り付けて使用される。
【００２４】
外部感熱抵抗素子ＴＨ１は、感知器本体１に設けられた通気カバー２で覆われて外部温度を測定し、内部感熱抵抗素子ＴＨ２は、感知器本体１の内部温度を測定するが、ここでは、感熱抵抗素子として、負の抵抗温度特性を示す感熱抵抗素子、より具体的には、ＮＴＣタイプのサーミスタを用いている。
【００２５】
このような感熱抵抗素子の用い方、電源回路９の構成は、図５で説明した従来の熱感知器１１０と同じであるので、更なる重複説明を省略する。
【００２６】
この熱感知器１０が、従来の熱感知器１１０と異なるのは、外部感熱抵抗素子ＴＨ１と内部感熱抵抗素子ＴＨ２とを直列に接続した温度検知抵抗列の接続中点から内部感熱抵抗素子ＴＨ２と並列に基準抵抗Ｒ６が接続されている点と、これに対応して、判断回路８が、切替回路３、電圧計測回路４、複数の比較回路５（１）、５（２）、５（３）、制御回路６、種別切替回路７、これらに関連した種々のスイッチＳＷ１、ＳＷ２、・・・、ＳＷ１０、ＳＷ１１を備えている点である。
【００２７】
内部感熱抵抗素子ＴＨ２と基準抵抗Ｒ６との反接続側はそれぞれ接地され、この接地を断接する接地スイッチＳＷ４、ＳＷ５がそれぞれ設けられている。
【００２８】
切替回路３は、その基本機能としては、接地スイッチＳＷ４、ＳＷ５を常時一定周期で切替断接して、内部感熱抵抗素子ＴＨ２、基準抵抗Ｒ６のどちらか一方だけを排他的に接地するように切り替えるものである。
【００２９】
つまり、切替回路３は、このようにして、図示した電圧Ｖｉｎを、外部感熱抵抗素子ＨＴ１と内部感熱抵抗素子ＴＨ２とによる内外温度差を与える電圧と、外部感熱抵抗素子ＴＨ１による外部温度を与える電圧とに切り替え、この電圧Ｖｉｎが電圧計測回路４、複数の比較回路５に出力されるようになっている。
【００３０】
電圧計測回路４は、こうして切替回路３によって切替られた電圧Ｖｉｎを測定する。つまり、内外温度差、外部温度の双方を測定することとなる。
【００３１】
複数の比較回路５（１）、５（２）、５（３）は、それぞれ比較部ＣＰ１、ＣＰ２、ＣＰ３と、相互に異なる基準電圧Ｖｒｅｆ１、Ｖｒｅｆ２、Ｖｒｅｆ３を与える基準抵抗列Ｒ３とＲ４、Ｒ５とＲ６、Ｒ７とＲ８とを備えている。電圧Ｖｉｎがそれぞれの比較部ＣＰ１、ＣＰ２、ＣＰ３のプラス側に入力可能とされ、それぞれ基準電圧Ｖｒｅｆ１、Ｖｒｅｆ２、Ｖｒｅｆ３がそれぞれのマイナス側に入力され、比較部ＣＰ１、ＣＰ２、ＣＰ３は、それぞれの入力を比較判定して警報信号を発生する。
【００３２】
比較部ＣＰ１、ＣＰ２、ＣＰ３の電圧Ｖｉｎの入力側と、出力側とには、二連の断接スイッチＳＷ１、ＳＷ２、ＳＷ３が設けられ、この断接スイッチＳＷ１、ＳＷ２、ＳＷ３のいずれかが接続された場合だけ、接続された比較部、比較回路が機能する。
【００３３】
制御回路６は、複数の比較回路５（１）、５（２）、５（３）から、切替回路３が外部温度の電圧Ｖｉｎを与えている際に電圧計測回路４によって測定された外部温度に対応した比較回路を選択し、選択した比較回路に、内外温度差の電圧Ｖｉｎの比較判定をさせるように制御する。この比較回路の選択は、上述した二連の断接スイッチＳＷ１、ＳＷ２、ＳＷ３のいずれを接続させるかで行う。
【００３４】
この熱感知器１０は、このような構成であるので、複数の比較回路５（１）、５（２）、５（３）から、外部温度に対応させて、適当な基準電圧を用いた比較回路を選択して、内外温度差の電圧Ｖｉｎの比較判定をさせることができるので、この熱感知器１０を用いた場合の内外温度差電圧Ｖｉｎと外部温度Ｔ１との関係を示すグラフは、図２に示すように、より変動と傾きが少ないものとなり、外部温度の温度上昇率に対する感熱抵抗素子の感度低下を補償することができ、より良好な警報発生を行うことができる。
【００３５】
外部温度Ｔ１の上昇に対する内外温度差電圧Ｖｉｎの変動と傾きは、比較回路をなるべく多く設けるようにすればより小さなものとなり、理論的には、比較回路を無限に多くすれば、外部温度Ｔ１の上昇に対する内外温度差電圧Ｖｉｎのグラフは、この横軸に平行な直線になり、その場合には、外部温度の温度上昇率に対する感熱抵抗素子の感度低下が全く生じないものとすることができる。
【００３６】
それぞれの比較回路５（１）、５（２）、５（３）の基準抵抗列Ｒ３とＲ４、Ｒ５とＲ６、Ｒ７とＲ８の一方の抵抗Ｒ３、Ｒ５、Ｒ７には、電源回路９からの定電圧ＶＤＤが供給された線路Ｌ１から並列に付加抵抗Ｒ３Ａ、Ｒ５Ａ、Ｒ７Ａが接続され、これらの付加抵抗Ｒ３Ａ、Ｒ５Ａ、Ｒ７Ａの他端は基準抵抗列Ｒ３とＲ４、Ｒ５とＲ６、Ｒ７とＲ８の接続中点に断接スイッチＳＷ１Ａ、ＳＷ２Ａ、ＳＷ３Ａを介して接続されている。
【００３７】
これらの断接スイッチＳＷ１Ａ、ＳＷ２Ａ、ＳＷ３Ａの操作は、種別切替回路７を介して、外部から手動操作可能なレベル切替スイッチＳＷ１０によって、同時に断接される。
【００３８】
このレベル切替スイッチＳＷ１０は、このように構成されて、その操作によって、比較回路の基準抵抗を異なるものとすることができ、あるいは、複数の抵抗から切替選択して基準抵抗とすることができるもので、これにより、この基準抵抗列が生成する基準電圧Ｖｒｅｆ１、Ｖｒｅｆ２、Ｖｒｅｆ３のレベルを変化させることができるもので、上記、外部温度Ｔ１の上昇に対する内外温度差電圧Ｖｉｎの変動と傾きを更により小さなものとすることができる。
【００３９】
付加抵抗は、基準抵抗列Ｒ３とＲ４、Ｒ５とＲ６、Ｒ７とＲ８の他方側の抵抗Ｒ４、Ｒ６、Ｒ８に対して設けてもよく、また、元の抵抗と並列接続させる替わりに、切替接続されるように、また、元の抵抗に直列接続されるようにしてもよい。
【００４０】
更に、この付加抵抗は、それぞれの基準抵抗列Ｒ３とＲ４、Ｒ５とＲ６、Ｒ７とＲ８に対して共通のものとすることができ、その場合には、断接スイッチも共通化することができ、部品点数を少なくすることができる。
【００４１】
種別切替回路７には、更に、外部から手動操作可能なモード切替スイッチＳＷ１１が設けられ、このスイッチＳＷ１１を操作すると、切替回路３を制御して、外部感熱抵抗素子ＴＨ１と内部感熱抵抗素子ＴＨ２とによる内外温度差を与える電圧Ｖｉｎと、外部感熱抵抗素子ＴＨ１による外部温度を与える電圧Ｖｉｎとを交互に測定させる差動モードと、外部感熱抵抗素子ＴＨ１による外部温度を与える電圧Ｖｉｎだけを常に測定させる定温モードとに切り替えることができる。
【００４２】
つまり、モード切替スイッチＳＷ１１を手動操作することにより、この熱感知器１０を、同じ回路構成でありながら、差動モードと定温モードとに切替て使用することができる。また、内外に設けられた二つの感熱抵抗素子の有効活用を図ることができる。
【００４３】
更に、レベル切替スイッチＳＷ１０とモード切替スイッチＳＷ１１のオン・オフの組み合わせにより、図３に示すように、この熱感知器１０を、同じ回路構成のままで、異なるレベルと、異なるモードの熱感知器（「差動２種」、「差動１種」、「定温６０℃」、「定温７０℃」）として機能させることができる。
【００４４】
この結果、例えば、判断回路をＩＣ化する場合に、そのＩＣ化判断回路を最小の入力ポートにて構成することができ、ＩＣのコストを低減することができる。
【００４５】
なお、図１（ｂ）に示した符号Ｐは、この判断回路８を配置した回路基板を示している。
【００４６】
なお、制御回路６において、複数の比較回路５（１）、５（２）、５（３）から内外温度差を与える電圧Ｖｉｎを比較判定させる比較回路を選択する際に、電圧計測回路４によって測定された外部温度Ｔ１ではなく、この外部温度Ｔ１と電圧計測回路４によって測定された内外温度差とから算定される内部温度Ｔ２を用いるようにしてもよい。
【００４７】
このようにすると、内部温度Ｔ２は外部温度Ｔ１に比べ、より穏やかな変化をするので、判断基準が安定し、より確実な選択を行うことができる。
【００４８】
図４は、本発明に係る熱感知器の他例の回路図である。
【００４９】
この熱感知器１０Ａは、図１の熱感知器１０に比べ、３つの比較部ＣＰ１、ＣＰ２、ＣＰ３を共通化して、共通の比較部Ｃとしている点が異なっている。これに対応して、基準抵抗列は、抵抗Ｒ３′とこれに断接スイッチＳＷ１′、ＳＷ２′、ＳＷ３′によって切替的に直列接続される３つの抵抗Ｒ４′、Ｒ５′、Ｒ６′から構成されている。
【００５０】
このように共通化された比較部Ｃと、切替可能な基準抵抗列から構成される比較回路を複合比較回路５と呼び、図１の複数の比較回路５（１）、５（２）、５（３）と同等の働きをするように構成可能である。
【００５１】
制御回路６は、複数の比較回路を選択制御する替わりに、複数の抵抗Ｒ４′、Ｒ５′、Ｒ６′を切替制御して、基準電圧Ｖｒｅｆ′の異なる複数の比較回路を選択制御したのと同様の効果を発揮する。
【００５２】
また、このように共通化された場合、例えば、基準抵抗列の抵抗Ｒ３′に付加される付加抵抗Ｒ３Ａ′も共通化され、レベル切替スイッチ１０も、この付加抵抗Ｒ３Ａ′の断接スイッチＳＷ６を断接させるものとなる。なお、この場合にも、付加抵抗の設け方は、上述の場合と同様に種々の態様が可能である。
【００５３】
このように比較部を共通化すると、関連して、基準抵抗列の抵抗なども共通化でき、部品点数を少なくして、製品コストを低下させることができる。
【００５４】
なお、ここでは、感熱抵抗素子として、ＮＴＣサーミスタを用いた例について説明したが、この熱感知器の判断回路は、この例の場合だけでなく、正負に拘わらず、抵抗温度特性が同様に傾向を示す他のいずれの感熱抵抗素子にも適用可能である。
【００５５】
また、このような構成の本発明の熱感知器は、感熱抵抗素子の種類、基準電圧の種類を適宜選択することによって、火災警報器としてだけでなく、環境の熱感知、温度感知、温度上昇感知のセンサとして、種々の目的に用いることができる。
【００５６】
【発明の効果】
本発明の熱感知器によれば、外部温度に対応させて、適当な基準電圧を用いた比較回路を選択して、内外温度差の電圧の比較判定をさせることができるので、外部温度の温度上昇率に対する感熱抵抗素子の感度低下を補償することができ、より良好な警報発生を行うことができる。
【００５７】
また、請求項２によれば、レベル切替スイッチにより、より細かく、感熱抵抗素子の感度低下を補償することができ、請求項３によれば、基準抵抗の一部を共通化して、コストダウンが図れ、更に、請求項４によれば、比較部も共通化することで、更にコストダウンが可能である。
【００５８】
請求項５によれば、モード切替スイッチによって、同じ回路構成の熱感知器でありながら、差動モードと定温モードとに切替て使用することができる。また、内外に設けられた二つの感熱抵抗素子の有効活用を図ることができる。更に、モード切替スイッチとレベル切替スイッチの組み合わせにより、異なるレベル、異なるモードの機能を発揮させることができ、判断回路をＩＣ化する場合に、そのＩＣ化判断回路を最小の入力ポートにて構成することができ、ＩＣのコストを低減することができる。
【００５９】
請求項７によれば、比較回路の選択基準として内部温度を用いたので、内部温度は外部温度に比べ、より穏やかな変化をするので、判断基準が安定し、より確実な選択を行うことができる。
【図面の簡単な説明】
【図１】（ａ）は本発明に係る熱感知器の一例の回路図、（ｂ）は（ａ）の概念的な縦断面図
【図２】本発明に係る熱感知器における内外温度差電圧と外部温度との関係を示すグラフ
【図３】本発明に係る熱感知器における２種類の切替スイッチとそれによって得られる熱感知器の種別との関係の表を示す図
【図４】本発明に係る熱感知器の他例の回路図
【図５】（ａ）は従来の熱感知器の回路図、（ｂ）は負型の感熱抵抗素子の抵抗温度特性を示すグラフ、（ｃ）従来の熱感知器における内外温度差電圧と外部温度との関係を示すグラフ
【符号の説明】
１　　　　感知器本体
２　　　　通気カバー
３　　　　切替回路
４　　　　電圧計測回路
５　　　　比較回路
６　　　　制御回路
７　　　　種別切替回路
８、８Ａ　判断回路
１０、１０Ａ　熱感知器
ＣＰ１、ＣＰ２、ＣＰ３、ＣＰ　比較部
Ｒ３〜Ｒ８　基準比較抵抗
ＳＷ１０　レベル切替スイッチ
ＳＷ１１　モード切替スイッチ
Ｔ１　　　外部（サーミスタ）温度
Ｔ２　　　内部（サーミスタ）温度
ＴＨ１　　外部感熱抵抗素子
ＴＨ２　　内部感熱抵抗素子
【図１】
2004062300.tif 000003
【図２】
2004062300.tif 000004
【図３】
2004062300.tif 000005
【図４】
2004062300.tif 000006
【図５】
2004062300.tif 000007